(57)【要約】【課題】デジタル放送の予約録画時の場合、実際の番組の録画時間が降雨等の受信状態が悪い場合、品位の悪い番組が記録され、事実所望の番組の録画が不可能であった。  【解決手段】録画開始前および録画中に、デジタルチューナ２のＣ／Ｎを検知し、一定の閾値を下回った場合、アナログより品位とみなし、サイマルキャスト放送である場合には、アナログチューナ１からの番組録画に自動的に切り替えることで、ユーザが不在になる時刻の天候などを考慮するなどの煩わしい処理が不要になり、自動的に受信できる高品位な方の番組をデジタル機器への録画が可能となる。【選択図】図１
2006191344.tif 000002
【特許請求の範囲】
【請求項１】
デジタル放送を受信する少なくとも１つ以上のデジタルチューナと、アナログ放送を受信する少なくとも１つ以上のアナログチューナと、アナログ信号からトランスポートストリームもしくはプログラムストリームを生成するエンコーダと、エンコーダからのトランスポートストリームもしくはプログラムストリーム、及びデジタルチューナからのトランスポートストリームを入力し、システムコントローラ（ＣＰＵ）からの指示で受信ストリームの選択を行うデータ切替選択部と、トランスポートストリームから必要パケットを抽出するＴＳ抽出部と、ＴＳ抽出部から抽出したオーディオ及びビデオのパケットからオーディオ・ビデオ信号を復調するＡＶデコーダ部と復調したオーディオ・ビデオ信号を出力機器に応じたフォーマットで出力する映像・音声出力部と受信機から外部へ出力するためのＡＶ出力端子と、ＴＳ抽出部から出力されたトランスポートストリームもしくは、プログラムストリームを記録メディアに記録するためのインターフェース部と、記録媒体と、外部からのストリーム情報及びネットワーク情報を受信するイーサＩ／Ｆと、前記イーサＩ／Ｆからの情報及びデジタルチューナからの受信情報を受け取り、システムの制御を行うシステムコントローラ（ＣＰＵ）とを備えるアナログ・デジタル放送受信記録再生装置。
【請求項２】
上記アナログ・デジタル放送記録再生装置に搭載される記録手段は、アナログ放送ないしデジタル放送を同時に受信し、デジタルチューナの受信レベルをシステムコントローラに通知することを特徴とする請求項１記載のアナログ・デジタル放送受信記録再生装置。
【請求項３】
上記アナログ・デジタル放送記録再生装置に搭載される記録手段は、受信機のユーザデータ格納部に、ユーザの設置している地域を特定できる地域情報を格納することを特徴とする請求項１記載のアナログ・デジタル放送受信記録再生装置。
【請求項４】
上記アナログ・デジタル放送記録再生装置に搭載される記録手段は、外部の地域気象情報や、ユーザの所望の情報を受信することを特徴とする請求項１記載のアナログ・デジタル放送受信記録再生装置。
【請求項５】
上記アナログ・デジタル放送記録再生装置に搭載される記録手段は、記録開始時間前にデジタル放送受信レベルがある一定量を下回った場合にデジタル放送受信付加状態と判定し、アナログ放送のサイマルキャスト放送時は自動的にアナログ放送に録画方式を切り替える第一の放送記録判定手段を具備することを特徴とする請求項２記載のアナログ・デジタル放送記録再生装置。
【請求項６】
上記アナログ・デジタル放送記録再生装置に搭載される記録手段は、記録開始時間前にユーザの設置する受信機の所在する地域気象情報から降雨予定の場合は、予めデジタル放送受信付加状態と判定し、アナログ放送のサイマルキャスト放送時は自動的にアナログ放送に録画方式を切り替える、第ニの記録放送判定手段を具備することを特徴とする請求項２記載のアナログ・デジタル放送記録再生装置。
【発明の詳細な説明】
【技術分野】
【０００１】
本発明は、アナログ放送及びデジタル放送を受信し、放送のコンテンツをデジタルで記録・再生を行う記録再生方法に関するものである。更に詳述すると、デジタル放送とアナログ放送で同一番組を放送するマルチキャスト放送時のデジタル放送の受信状態に応じて高品位の番組を選択し、記録する判断方法に関するものである。
【背景技術】
【０００２】
衛星放送及び地上波放送においては、デジタル放送とアナログ放送が同一番組で構成されたサイマルキャスト放送で放送される時間帯があり、降雨等のデジタル放送の受信状態が粗悪な条件下で、デジタル放送とアナログ放送の受信を切り替える方法が考えられている。
【特許文献１】特開２００１−２１１１２６号公報
【発明の開示】
【発明が解決しようとする課題】
【０００３】
解決しようとする問題点は、上記特許文献１ではデジタル放送の受信レベルを検知し、
デジタル放送の受信レベルが一定許容値に満たない場合、アナログ放送を受信した映像・音声信号を自動的に視聴可能とする方法であるが、上記特許文献１では、リアルタイムに視聴する場合の受信アンテナを動的に切り替える方式で、信号切換部は、映像・音声の切替のみあり、記録するコンテンツそのものには対応していない。また信号切換部は、デジタル放送をＡＶデコーダでデコード後、Ｄ／Ａ変換したアナログ信号同士を切換えているため、デジタル記録機器への記録に対応することが不可能であった。
【課題を解決するための手段】
【０００４】
本発明は、上記課題を鑑み、アナログ・デジタル放送受信記録再生において、デジタル放送の受信レベルがアナログ放送品位以下であることを判断した場合に、デジタル記録機器へのフォーマットである、トランスポートストリームもしくはプログラムストリームの入力手段を切換る。ことにより、予約録画等、ユーザが不在の場合にも、自動的に高品位な番組を録画する。
【発明の効果】
【０００５】
本発明は、サイマルキャスト放送がされている番組の予約録画等で、ユーザが不在になる時刻の天候などを考慮するなどの煩わしい処理が不要になり、自動的に受信できる高品位な方の番組をデジタル機器への録画が可能となる。
【発明を実施するための最良の形態】
【０００６】
本発明の具体的な実施の形態について以下に示す。
（実施の形態１）
図１は、本発明のアナログ・デジタル放送受信記録再生装置１００の構成図であって、１はアナログ放送波を受信するアナログチューナ、２はデジタル放送波を受信するデジタルチューナ、３はアナログチューナで放送をＡ／Ｄ変換、復調した信号をＴＳもしくはＰＳに変換するエンコーダ、４は上記デジタルチューナ２及びエンコーダ３からの入力データを選択するデータ切換選択部、５は４で選択された経路の入出力から映像・音声その他、視聴及び記録に必要な情報を抽出するＴＳ抽出部、６は５から抽出される圧縮された映像・音声情報を伸長に映像・音声信号に復調するＡＶデコーダ部、７は伸長された映像・音声データを映像音声の出力タイミングに同期して出力する映像・音声出力部、８は映像・音声信号を外部へ出力するためのＡＶ出力端子、９はアナログ・デジタル放送受信記録再生装置１００を制御するＣＰＵ、１０はＴＳ抽出部５で録画に必要な情報をデジタル記録媒体へ転送するためのＩ／Ｆ回路、１１は記録媒体、１２は外部からのネットワーク接続を行いイーサネット（登録商標）Ｉ／Ｆである。
【０００７】
図１を用いて本発明のアナログ・デジタル放送を受信レベルに応じて記録方法を切り替える処理について説明する。
【０００８】
アナログ・デジタル放送受信記録再生装置１００では、屋外ユニットからのアナログ放送波をアナログチューナ１で受信するとＡ／Ｄ変換後デジタル信号として出力する。アナログチューナ１からのデジタル信号は、エンコーダ２に入力され、トランスポートストリーム（以下、ＴＳと略す）やプログラムストリーム（以下、ＰＳと略す）などのフォーマットに変換して出力する。また屋外ユニットからのデジタル放送波をデジタルチューナで受信すると、復調、誤り訂正処理を施し、ＴＳパケットの構造で出力する。
【０００９】
上記エンコーダ３、デジタルチューナ２からのＴＳ及びＰＳのデータはデータ切換選択部４に転送される。データ出力選択部４は、各データをＣＰＵ９からの切換信号によって、デジタルチューナ２及びエンコーダ３からのデータ信号を選択する。選択されたデータはＴＳ抽出部５に転送される。ＴＳ出力部５はＴＳ及びＰＳのストリームを受信時に、同期確立、データの誤りを検知した後、ＣＰＵからの設定される抽出情報の指示により、必要なパケットをＡＶデコーダ及び、記録媒体Ｉ／Ｆに転送する。
【００１０】
ＡＶデコーダ６ではこのうち、映像、音声を再生するために必要な情報を入力する。入力される映像・音声データは圧縮されており、ＴＳ及びＰＳのデータ構造から映像・音声の情報をそれぞれ伸長する。伸長された映像、音声データは映像・音声出力部７へ出力する。映像・音声出力部では、それぞれの映像・音声の出力フォーマットに応じて、出力タイミングの同期制御・Ｄ／Ａ変換を行いＡＶ出力端子へ出力する。ＡＶ出力端子では、モニタやスピーカや他の出力媒体に接続できるＩ／Ｆに変換して所望の番組を再生する。
【００１１】
また、ＣＰＵから指示により、記録するためのデータが、ＴＳ抽出部５から記録媒体へ出力するＴＳ及びＰＳデータは、記録媒体Ｉ／Ｆ１０へ転送される。このデータは先のＡＶデコーダへ出力するデータの種類と異なることがあってもよい。記録媒体Ｉ／Ｆ１０は転送されたデータを一旦バッファリングし、デジタルで記録できる記録媒体１１の種別に応じた転送サイズでデータを転送し、記録媒体１１に記録する。
【００１２】
記録媒体に記録したデータを再生する場合にも同様に、記録媒体１１から一定の転送サイズで記録媒体Ｉ／Ｆに転送する。記録媒体Ｉ／Ｆで一旦バッファリングし、ＴＳ抽出部へＴＳ及び／ＰＳの単位で分割して転送する。ＴＳ抽出部は、視聴時と同様に、映像・音声に必要なデータを抽出し、ＡＶデコーダ５と、映像・音声出力部７、ＡＶ出力端子と経由し、記録した番組の再生が行われる。
【００１３】
この処理により、アナログ放送とデジタル放送の番組のそれぞれを用途に応じて切り替えて、視聴、記録することが可能であるが、衛星デジタル放送や、地上波デジタル放送では、放送事業者側で同時刻にアナログ放送波でも同じ番組を送信している場合が多い。
【００１４】
ユーザは、サイマルキャスト放送時は、高画質・高音質なデジタル放送を記録・視聴したいのが一般的である。しかし、デジタル放送は、通常時は、高画質・高音質だが、放送の転送状態により、受信装置での誤り訂正の限界を越え、受信装置では補正できず、アナログ放送より、低品位な状態に陥る場合が局所的に存在することがある。この場合でも、ユーザは、外的な要因に影響されずに高品位な方の放送を記録、視聴できることが望ましい。
【００１５】
次に本発明の図２を用いて本発明のアナログ・デジタル放送を受信レベルに応じて記録方法を切り替える第一の処理方法について説明する。図２は図１のアナログ・デジタル放送受信記録再生装置におけるＣＰＵ９での記録方法を切り替える第一の処理方法のフローである。ここでは、一例として、ユーザから予めデジタル放送の予約録画時の処理フローを示している。
【００１６】
図２において、ステップ２００で現在時刻が予約開始時間付近かを判定する。ユーザからの実際の予約録画時間に対し、番組開始前に録画設定するための時間及び、ステップ２００へ再帰的にループする期間を考慮した、一定時間前の予約開始時間になった場合に、ステップ２００の判定をＹＥＳとする。Ｎｏの場合は、予約時間前のため、再度予約時間までループする。ＹＥＳの場合ステップ２１０へ進む。
【００１７】
ステップ２１０では、予約開始準備のためにデジタル放送を受信するための処理を行う。受信が完了したらステップ２２０に進む。
【００１８】
ステップ２２０では、図１におけるデジタルチューナ２での受信レベルのＣ／Ｎ（Ｃａｒｒｉｅｒ  Ｎｏｉｓｅ  Ｒａｔｉｏ）を受取り、Ｃ／Ｎが一定許容値と比較する。一定許容値は、降雨等の外的環境に影響し、受信が困難であるレベルを閾値として設定する。一定許容値以上の場合、受信レベルが良好であるとみなし、ステップ２５０へ進む。一定許容値を下回る場合、受信レベルが悪いと判断し、ステップ２３０に進む。
【００１９】
ステップ２３０では、予約録画に設定した番組が同時刻にサイマルキャスト放送であるかを判定する。サイマルキャスト放送であるかの情報は、デジタルチューナから番組情報を受信することで本発明の構成で受信することが可能である。サイマルキャストでない場合は、同一番組が存在しないとみなし、ステップ２５０に進む。サイマルキャスト放送の場合は、ステップ２４０に進む。
【００２０】
ステップ２４０では、図１におけるアナログチューナ１でサイマルキャスト放送の同一番組に設定する。設定後、データ切換選択部４に対し、アナログ放送からのデータの受信を示す切換指示信号を発行する。発行後にステップ２５０に進む
ステップ２５０では、ＴＳ抽出部５、記録媒体Ｉ／Ｆ１０、記録媒体１１を設定し、記録処理を開始する。
【００２１】
本発明により、ユーザが予約録画時には、外的環境を意識することなく、より高品質な番組を録画することが可能である。
【００２２】
なお、本実施の形態では、予約番組を時間で設定する場合のみ説明しているが、番組表から予約録画設定する場合にも、予約番組の設定から予約時間を紐付けすることにより、容易に対応可能である。
【００２３】
また、本実施の形態では、デジタル放送の予約録画設定時の想定で説明したが、アナログ放送を予約しておき、実際にデジタル放送でサイマルキャスト放送が行われている場合は、アナログ放送受信とデジタル放送受信を入替え、Ｃ／Ｎが良好の場合にデジタル放送受信に自動で切り替えることで、ユーザの設定された以上の品位の番組を録画することにも容易に対応できる。
（実施の形態２）
次に図３を用いて本発明のアナログ・デジタル放送を受信レベルに応じて記録方法を切り替える第二の処理方法について説明する。上記実施の形態１で説明した図１の構成で実現するため、構成の説明は省略する。図３は図１のアナログ・デジタル放送受信記録再生装置におけるＣＰＵ９での記録方法を切り替える第二の処理方法のフローである。
【００２４】
図３において、ステップ３１０で現在時刻が予約開始時間付近かを判定する。ユーザからの実際の予約録画時間に対し、番組開始前に録画設定するための時間及び、ステップ２００へ再帰的にループする期間を考慮した、一定時間前の予約開始時間になった場合に、ステップ２００の判定をＹＥＳとする。Ｎｏの場合は、予約時間前のため、再度予約時間までループする。ＹＥＳの場合ステップ３１０へ進む。
【００２５】
ステップ３１０では、図１のイーサＩ／Ｆ１２からユーザの地域情報を予め入力しておき（図示せず）、そのユーザの地域情報に併せた、外的要因の予測情報を受けとる。外的要因の予測情報は一例として、気象情報の降雨予想など、受信レベルを劣化する要因を想定しておく。外的要因の予測情報を受け取るとステップ３１０へ進む。
【００２６】
ステップ３２０では、受信状態が良好かを判定する。判断条件はステップ３１０で受信した外的要因の予測情報で降雨等の受信レベルを低下要因が存在する場合は、受信レベルが悪いと判断し、ステップ３３０に進む。
【００２７】
ステップ３３０では、予約録画に設定した番組が同時刻にサイマルキャスト放送であるかを判定する。サイマルキャスト放送であるかの情報は、デジタルチューナから番組情報を受信することで本発明の構成で受信することが可能である。サイマルキャストでない場合は、同一番組が存在しないとみなし、ステップ３５０に進む。サイマルキャスト放送の場合は、ステップ３４０に進む。
【００２８】
ステップ３４０では、図１におけるアナログチューナ１でサイマルキャスト放送の同一番組に設定する。設定後、データ切換選択部４に対し、アナログ放送からのデータの受信を示す切換指示信号を発行する。発行後にステップ３５０に進む。
ステップ３５０では、本来ユーザが視聴する番組のデジタル放送受信設定を行う。設定が完了したら、ステップ３６０に進む。
【００２９】
ステップ３６０では、ＴＳ抽出部５、記録媒体Ｉ／Ｆ１０、記録媒体１１を設定し、記録処理を開始する。
【００３０】
以上のように判定手段を番組と独立した経路から判断することでも実施の形態１と同様に高品位な番組を録画することが可能となる。
【００３１】
なお、実施の形態１動揺二、本実施の形態でも、予約番組を時間で設定する場合のみ説明しているが、番組表から予約録画設定する場合にも、予約番組の設定から予約時間を紐付けすることにより、容易に対応可能である。
【００３２】
また、本実施の形態では、デジタル放送の予約録画設定時の想定で説明したが、アナログ放送を予約しておき、実際にデジタル放送でサイマルキャスト放送が行われている場合は、アナログ放送受信とデジタル放送受信を入替え、イーサネット（登録商標）Ｉ／Ｆ１２からの外的要因情報での天候情報が良好の場合にデジタル放送受信に自動で切り替えることで、ユーザの設定された以上の品位の番組を録画することにも容易に対応できる。
（実施の形態３）
次に図４を用いて本発明のアナログ・デジタル放送を受信レベルに応じて記録方法を切り替える第三の処理方法について説明する。上記実施の形態１で説明した図１の構成で実現するため、構成の説明は省略する。図４は図１のアナログ・デジタル放送受信記録再生装置におけるＣＰＵ９での記録方法を切り替える第三の処理方法のフローである。
【００３３】
図２において、ステップ４００で現在時刻が予約開始時間付近かを判定する。ユーザからの実際の予約録画時間に対し、番組開始前に録画設定するための時間及び、ステップ４００へ再帰的にループする期間を考慮した、一定時間前の予約開始時間になった場合に、ステップ４００の判定をＹＥＳとする。Ｎｏの場合は、予約時間前のため、再度予約時間までループする。ＹＥＳの場合ステップ４１０へ進む。
【００３４】
ステップ４１０では、ＴＳ抽出部５、記録媒体Ｉ／Ｆ１０、記録媒体１１を設定し、記録処理を開始する。記録開始設定が終了すると、ステップ４２０へ進む。
ステップ４２０で予約開始準備のためにデジタル放送を受信するための処理を行う。受信が完了したらステップ４３０に進む。
【００３５】
ステップ４３０では、図１におけるデジタルチューナ２での受信レベルのＣ／Ｎ（Ｃａｒｒｉｅｒ  Ｎｏｉｓｅ  Ｒａｔｉｏ）を受取り、Ｃ／Ｎが一定許容値と比較する。一定許容値は、降雨等の外的環境に影響し、受信が困難であるレベルを閾値として設定する。一定許容値以上の場合、受信レベルが良好であるとみなし、ステップ４６０へ進む。一定許容値を下回る場合、受信レベルが悪いと判断し、ステップ４４０に進む。
【００３６】
ステップ４４０では、予約録画に設定した番組が同時刻にサイマルキャスト放送であるかを判定する。サイマルキャスト放送であるかの情報は、デジタルチューナから番組情報を受信することで本発明の構成で受信することが可能である。サイマルキャストでない場合は、同一番組が存在しないとみなし、ステップ４６０に進む。サイマルキャスト放送の場合は、ステップ４５０に進む。
【００３７】
ステップ４５０では、図１におけるアナログチューナ１でサイマルキャスト放送の同一番組に設定する。設定後、データ切換選択部４に対し、アナログ放送からのデータの受信を示す切換指示信号を発行する。発行後にステップ４６０に進む。
【００３８】
ステップ４６０では、再度Ｃ／Ｎを許容値と比較する。許容値を下回った場合、受信レベルが回復していないと判定し、ステップ４６０を常時判定する。許容値以上の場合、ステップ４７０に進む。
【００３９】
ステップ４７０では、データ切換選択部４のデジタル放送受信切換を示す切換指示信号を発行し、データ切換選択部では、デジタルチューナ２のデータ信号の受信を再開する。デジタル放送のデータ信号の受信切換が完了したら、ステップ４２０に戻り、処理を繰り返す。
【００４０】
本発明により、実施の形態１，２では、番組録画時に一度判定を行っていた、放送の選局を、録画中にでも外的環境を意識することなく、常時より高品位の状態を判定することで、より高品質な番組を録画することが可能である。
【００４１】
なお、本実施の形態では、予約番組を時間で設定する場合のみ説明しているが、番組表から予約録画設定する場合にも、予約番組の設定から予約時間を紐付けすることにより、容易に対応可能である。
【００４２】
また、本実施の形態では、デジタル放送の予約録画設定時の想定で説明したが、アナログ放送を予約しておき、実際にデジタル放送でサイマルキャスト放送が行われている場合は、アナログ放送受信とデジタル放送受信を入替え、Ｃ／Ｎが良好の場合にデジタル放送受信に自動で切り替えることで、ユーザの設定された以上の品位の番組を録画することにも容易に対応できる。
【００４３】
また、本実施の形態では、実施の形態２同様に、イーサＩ／Ｆ１２から常時時刻単位での気象情報を利用して、常時番組良好状態を判断することにより、判断情報を別経路から入手する手法にも容易に対応が可能である。
【産業上の利用可能性】
【００４４】
アナログ・デジタル放送を受信し、記録媒体に記録する受信機において、放送局からのサイマルキャスト放送時に、ユーザ個別の受信状態に応じた受信レベルを検知して、予約録画を行うことに対応でき、高品質な番組を記録可能な記録再生装置を提供可能である。
【図面の簡単な説明】
【００４５】
【図１】本発明の一実施例であるアナログ・デジタル放送受信記録再生装置の構成図
【図２】本発明の実施の形態１における第一のデータ選択先判定方法を示すフローチャート
【図３】本発明の実施の形態２における第二のデータ選択先判定方法を示すフローチャート
【図４】本発明の実施の形態３における第三のデータ選択先判定方法を示すフローチャート
【図５】従来のアナログ・デジタル放送受信記録再生装置の構成図
【符号の説明】
【００４６】
１    アナログチューナ
２        デジタルチューナ
３      エンコーダ
４      データ切換選択部
５    ＴＳ抽出部
６    ＡＶデコーダ部
７    映像・音声出力部
８    ＡＶ出力端子
９    ＣＰＵ
１０    記録媒体Ｉ／Ｆ
１１    記録媒体
１２    Ｅｔｈｅｒ  Ｉ／Ｆ
５２    ＢＳディジタルチューナ
５３    デマルチプレクサ（ＤＥＭＵＸ）
５４    ＡＶデコーダ
５５    映像処理回路
５６    音声処理回路
１００    アナログ・デジタル放送受信記録再生装置
５１２    ＯＳＤ回路
５１３    システムコントローラ
５１４    メモリ
５１７    ＢＳアナログチューナ
５１８    映像・音声処理回路
５１９    信号切換回路  
【図１】
2006191344.tif 000003
【図２】
2006191344.tif 000004
【図３】
2006191344.tif 000005
【図４】
2006191344.tif 000006
【図５】
2006191344.tif 000007